(57)【要約】  本発明は、車両に設けられた内燃機関エンジンに駆動接続可能なデュアルクラッチトランスミッションを駆動する方法であって、少なくとも前記内燃エンジン及び前記トランスミッションを管理する制御ユニット（４５）を設けるステップと、前記トランスミッションについての少なくとも一つのシュミレーションシフトシーケンスを含む予測モデルを提供するステップとを含み、前記方法は、前記少なくとも一つの予測モデルを利用して、前記トランスミッションの１回目の出力アップシフト／ダウンシフトと前記２回目の出力アップシフト／ダウンシフトの間の時間（Δｔ）を予測するステップと、前記トランスミッションの前記１回目の出力アップシフト／ダウンシフトと前記２回目の出力アップシフト／ダウンシフトの間の予測時間が所定の時間制限よりも短い場合に、前記トランスミッションを駆動する少なくとも一つのパラメータを変更するステップとを更に含む。【選択図】図２
2013515215.tif 000002
【特許請求の範囲】
【請求項１】
車両に設けられた駆動用原動機に駆動接続可能なマルチクラッチトランスミッションを駆動する方法であって、
−少なくとも前記原動機及び前記トランスミッションを管理する制御ユニット（４５）を設けるステップと、
−前記トランスミッションについての少なくとも一つのシュミレーションシフトシーケンスを含む予測モデルを提供するステップとを含み、前記方法は、
−前記少なくとも一つの予測モデルを利用して、前記トランスミッションの１回目の出力アップシフトと２回目の出力アップシフトの間、又は１回目の出力ダウンシフトと２回目の出力ダウンシフトの間の時間（Δｔ，Δｔａｄａｐｔｅｄ）を予測するステップと、
−前記トランスミッションの前記１回目の出力アップシフト／ダウンシフトと前記２回目の出力アップシフト／ダウンシフトの間の予測時間が所定の時間制限よりも短い場合に、前記トランスミッションを駆動する少なくとも一つのパラメータを変更するステップとを更に含むこと、を特徴とする方法。
【請求項２】
エンジン回転数、車両速度、及びアクセル位置に関する情報、並びに道路情報を前記制御ユニットに提供するステップを更に含む、請求項１に記載の方法。
【請求項３】
前記所定の時間制限は１秒未満である、請求項１に記載の方法。
【請求項４】
１回目のアップシフト／ダウンシフトと２回目のアップシフト／ダウンシフトの間の時間の前記予測は、前記制御ユニットによる実時間シミュレーションによって実行される、請求項１又は２に記載の方法。
【請求項５】
前記１回目の出力アップシフト／ダウンシフト及び前記２回目の出力アップシフト／ダウンシフトは連続した出力シフトである、請求項１に記載の方法。
【請求項６】
前記トランスミッションを駆動する前記パラメータは、前記１回目の出力アップシフト／ダウンシフトの第１シフト速度限界、及び前記２回目の出力アップシフト／ダウンシフトの第２シフト速度限界である、請求項１に記載の方法。
【請求項７】
前記トランスミッションを駆動する前記パラメータは、
−前記第１シフト速度限界（Ｓｓｈｉｆｔ１  ｌｏｗｅｒｅｄ）を低くするステップ、及び
−前記第２シフト速度限界（Ｓｓｈｉｆｔ２  ｉｎｃｒｅａｓｅｄ）を高くするステップ、
のうちの少なくとも一方を実行することによって変更される、請求項１乃至６のいずれかに記載の方法。
【請求項８】
前記シフト速度限界は、前記原動機が依然として前記原動機の最大トルク範囲内に維持される最大限まで変更できるのみである、請求項１乃至７のいずれかに記載の方法。
【請求項９】
前記予測時間が前記所定の時間よりも長い場合、前記シフト速度限界が前記最大限に変更されていたとしても、２段以上の従来的アップ／ダウンシフトが選択される、請求項１乃至８のいずれかに記載の方法。
【請求項１０】
前記トランスミッションを駆動する前記パラメータは、少なくとも２つのシフトシーケンスである、請求項１に記載の方法。
【請求項１１】
前記少なくとも２つのシフトシーケンスは、
−連続した出力アップシフトと２段以上の従来的アップシフト、及び
−連続した出力ダウンシフトと２段以上の従来的ダウンシフト、
のうちの一方を含む、請求項１乃至１０のいずれかに記載の方法。
【請求項１２】
前記２段以上の従来的アップ／ダウンシフトは、前記１回目の出力アップシフトと前記２回目の出力アップシフト、又は前記１回目の出力ダウンシフトと前記２回目の出力ダウンシフトでの前記予測時間が前記所定の時間制限よりも短い場合に選択される、請求項１乃至１１のいずれかに記載の方法。
【請求項１３】
マルチクラッチトランスミッションを制御するように構成された制御ユニット（４５）を含むトランスミッション制御システムであって、前記制御ユニットは、請求項１記載のステップを実行するようにプログラムされることを特徴とするトランスミッション制御システム。
【請求項１４】
コンピュータ可読媒体に格納されたプログラムコード手段を含むコンピュータプログラム製品であって、前記プログラム製品がコンピュータ上で実行されると請求項１記載の全てのステップを実行する、コンピュータプログラム製品。
【請求項１５】
コンピュータ環境で用いられるコンピュータメモリ（５２０）や、不揮発性データ記憶媒体（５５０）等の記憶媒体であって、前記メモリが、請求項１記載の方法を実行するコンピュータ可読プログラムコードを含む記憶媒体。
【発明の詳細な説明】
【技術分野】
【０００１】
本発明は、独立請求項の前文に係るマルチクラッチトランスミッションを駆動する方法及びトランスミッション制御システムに関する。
【０００２】
本発明は、いずれも前記方法を実行するコンピュータで利用されるトランスミッション制御システム、コンピュータプログラム製品、及びコンピュータの記憶媒体にも関する。
【背景技術】
【０００３】
車両用の自動及び半自動の機械式トランスミッションシステムは背景技術において周知である。一般に、このようなシステムは、多速度機械式変速トランスミッション、エンジンとトランスミッションの間に駆動的に介装される少なくとも一つの摩擦クラッチ、及びセンサからの入力信号を受け取って、トランスミッションを駆動するアクチュエータにコマンド出力信号を送信する中央処理装置又は制御装置を含む。
【０００４】
自動／半自動トランスミッションのスキップシフト、すなわち２つ以上の割り当て段への直接シフトも、例えば、背景技術の特許文献１において知られている。
【０００５】
デュアルクラッチトランスミッション（ＤＣＴ：Ｄｕａｌ  Ｃｌｕｔｃｈ  Ｔｒａｎｓｍｉｓｓｉｏｎ）等のマルチクラッチトランスミッションにおいて、出力シフトは、ほとんどの状況において推奨され得る。
【０００６】
ＤＣＴが搭載された車両の特定の車両動作状態において、車両のオペレータは、既に係合しているギヤ比から所望の係合比へのスキップシフトを命令できる。一般に、スキップアップシフトは、車両が比較的軽負荷状態で平坦な土地又は下り坂を走行している状況において、強力な車両加速が実行される場合に求められる。これは、このような状態において、出力アップシフト後のエンジン速度が、アップシフト速度を上回るか、又はアップシフト速度近くになり得、その結果、連続した複数回のアップシフトの間の時間が短くなり、且つ、ギヤシフトの回数が増えることに起因する。スキップシフトは、望ましいより低いギヤ比（高速ギヤ）に直接シフトすることによって、一連の素早い単一のアップシフトを回避するために利用される。このようなスキップシフト方式は、クラッチ寿命を延ばすことができると共に、運転の快適さを向上させ得る。
【０００７】
対応する車両動作状態は、急勾配の登り坂で車両が重い等の道路条件において車両を駆動しているときに生じ得るもので、この状態においては、車両の走行抵抗が非常に高い、すなわち、ＤＣＴが複数回の連続した出力ダウンシフトを迅速に実行することになる。その結果、クラッチの摩耗が激しくなり、運転の快適さが低下することを伴う同様の問題が生じる。
【０００８】
スキップシフトの作動は、例えば、車両のオペレータがスキップシフトボタンを押すことによって可能である。車両のオペレータが直面する他の作業のせいで、スキップシフトボタンが、結局のところ駆動されなかったり、又はタイミングが不適切であったりするため、スキップシフト機能を備える利点が結果的に損なわれる可能性がある。上記のシステムに関わる問題は、オペレータにスキップシフトボタンを駆動するという負担をかけることである。
【先行技術文献】
【特許文献】
【０００９】
【特許文献１】米国特許第４，５７６，０６５号明細書
【発明の概要】
【発明が解決しようとする課題】
【００１０】
本発明の目的は、車両のオペレータからの同時入力に因らずにマルチクラッチトランスミッションを制御する、改善された方法及び装置を提供することである。
【課題を解決するための手段】
【００１１】
この目的は、独立請求項の特徴によって達成される。他の請求項及び明細書は、本発明の有利な実施形態を開示する。
【００１２】
本発明の第１の態様において、車両に設けられた駆動用原動機に駆動接続可能なマルチクラッチトランスミッションを駆動する方法が提供され、本方法は、
−少なくとも電動機及びトランスミッションを管理する制御ユニットを設けるステップと、
−トランスミッションについての少なくとも一つのシミュレーションシフトシーケンスを含む予測モデルを提供するステップとを含み、本方法は、
−少なくとも一つの予測モデルを利用して、トランスミッションの１回目の出力アップシフトと２回目の出力アップシフトの間、又は１回目の出力ダウンシフトと２回目の出力ダウンシフトの間の時間を予測するステップと、
−トランスミッションの１回目の出力アップシフト／ダウンシフトと２回目の出力アップシフト／ダウンシフトの間の予測時間が、所定の時間制限よりも短い場合に、トランスミッションを駆動する少なくとも一つのパラメータを修正するステップとを更に含むことを特徴とする。
【００１３】
本発明の更に他の実施形態によれば、方法は、エンジン回転数、車両速度、及びアクセル位置に関する情報、並びに道路情報を制御ユニットに提供するステップを更に含む。
【００１４】
本発明の他の実施形態において、所定の時間制限は１秒未満である。
【００１５】
本発明の更に他の実施形態において、１回目のアップシフト／ダウンシフトと２回目のアップシフト／ダウンシフトの間の時間の予測は、制御ユニットによる実時間シミュレーションによって実行される。
【００１６】
本発明の他の実施形態において、１回目の出力アップシフト／ダウンシフト及び２回目の出力アップシフト／ダウンシフトは、連続した出力シフトである。
【００１７】
本発明の更に他の実施形態において、トランスミッションを駆動するパラメータは、１回目の出力アップシフト／ダウンシフトの第１シフト速度限界、及び２回目の出力アップシフト／ダウンシフトの第２シフト速度限界である。
【００１８】
本発明の他の実施形態において、トランスミッションを駆動するパラメータは、下記のステップのうちの少なくとも一つを実行することによって変更される。
−第１シフト速度限界を低くするステップ。
−第２シフト速度限界を高くするステップ。
【００１９】
本発明の更に他の実施形態において、シフト速度限界は、原動機が依然として当該原動機の最大トルク範囲内に維持される最大限まで変更できるのみである。本発明の更なる実施形態において、２段以上の従来のアップ／ダウンシフトは、シフト速度限界が最大限に変更されたとしても、予測時間が所定の時間よりも長い場合に選択される。
【００２０】
本発明の他の実施形態において、トランスミッションを駆動するパラメータは、少なくとも２つのシフトシーケンスである。ここに記載した実施形態の更に他の実施形態において、少なくとも２つのシフトシーケンスは、下記のうちの一つを含む。
−連続した出力アップシフトと２段以上の従来的アップシフト。
−連続した出力ダウンシフトと２段以上の従来的ダウンシフト。
【００２１】
また、更に他の実施形態において、２段以上の従来的アップシフト／ダウンシフトは、１回目の出力アップシフトと２回目の出力アップシフト、又は１回目の出力ダウンシフトと２回目の出力ダウンシフトの予測時間が所定の時間制限よりも短い場合に選択される。
【００２２】
また、マルチクラッチトランスミッションを制御するように構成される制御ユニットを含むトランスミッション制御システムも提供され、制御システムは、制御ユニットが、最初に記載した方法の実施形態のステップを実行するようにプログラムされることを特徴とする。
【００２３】
本発明の利点は、走行の快適さが向上し、クラッチの摩耗が抑制されることである。
【００２４】
本発明は、上記及び他の目的、並びに上記及び他の利点と共に、実施形態についての下記の詳細な説明から最もよく理解されるであろうが、これらの実施形態に限定されるものではない。これらの実施形態は下記の図に模式的に示される。
【図面の簡単な説明】
【００２５】
【図１】既知の技術に係る制御ユニットへの入力部の概要を示す図である。
【図２】異なるシミュレーションギヤシフトシーケンスについて、時間の関数としてエンジン速度を示す、本発明の異なる実施形態を模式的に説明するグラフ図である。
【図３】異なるシミュレーションギヤシフトシーケンスについて、時間の関数としてエンジン速度を示す、本発明の異なる実施形態を模式的に説明するグラフ図である。
【図４】エンジンの最大トルク範囲と共に、エンジン速度に対応するエンジントルクを模式的に示したグラフ図である。
【図５】異なるシミュレーションギヤシフトシーケンスについて、時間の関数としてエンジン速度を示す、本発明の異なる実施形態を模式的に説明するグラフ図である。
【図６】コンピュータ構成に適用された本発明を示す図である。
【発明を実施するための形態】
【００２６】
図面において、同一又は同様の要素は、同じ参照番号で示される。図面は、単なる模式的表現であり、本発明の特定のパラメータを描写することを意図したものではない。また、図面は、本発明の典型的な実施形態のみを描画することを意図したものなので、本発明の範囲を限定するものであると見なされるべきではない。
【００２７】
図１に、シミュレーション又は予測モデル及び入力部を模式的に示す。ここで、制御ユニット４５は、コンピュータシミュレーションを生成できなければならない。予測モデルは、原動機（例えば、エンジン）を有する車両において実施可能であり、この原動機は、制御ユニット４５によって制御されるマルチクラッチトランスミッション（ＤＣＴ等）に駆動接続される。また、車両において、ＤＣＴからの出力シャフトを、その車両の従動輪に駆動接続できる。一つの制御部３００は、手動又は自動の制御パラメータ重み付けを、運転者によって選択された駆動基準に基づいて行うもので、この制御部３００を用いて、シミュレーションを制御できる。運転者は、例えば、低燃費（例えば、経済的運転用）、一定車両速度（例えば、高速の平均速度での高速運転用）、特定の排出レベル（環境に配慮した運転用）、又はこれらの制御パラメータの組み合わせ（加重組み合わせ）を優先させることを選択できる。自動の制御パラメータ重み付けでは、制御ユニットに格納されているモデルが利用される。この重み付けには、スロットル開位置及び車両の質量等の各種のパラメータが考慮される。ギヤ速度が異なると、制御パラメータの重み付けも異なったものになる。
【００２８】
例えば、低燃費は高速ギヤの場合に優先順位が高く、上り坂を走行する重い車両については、平均速度に高い重み付けがなされる。スイッチ３００は、制御ユニット４５と通信するように適合される。ペダルマップ３１０、すなわち、各種のスロットル開位置について回転数の関数としてエンジントルクを表したものは、制御ユニット４５内に格納される。例えば、ＣＤ−ＲＯＭ（Ｃｏｍｐａｃｔ  Ｄｉｓｃ  Ｒｅａｄ  Ｏｎｌｙ  Ｍｅｍｏｒｙ）に格納された電子地図３２０は、コンピュータシミュレーションに必要な地域のトポロジー、すなわち、経路についての、例えば、海面高さを基準とした、少なくとも勾配又は標高の値の情報、及び経路における制限速度に関する各種の情報を含む。コンピュータシミュレーションには、既知の技術に従って計測器及びセンサ３６０から送信されたパラメータ３３０が利用される。このパラメータは、少なくとも車両又は列車の重量、瞬間車両速度、ギヤ比、効率、エンジン回転数、スロットル開位置（更にはスロットル開位置の変化）、瞬間位置、道路傾斜（電子地図から取得したのではないもの）、環境温度（燃料／空気混合に影響する温度）、駆動抵抗、及びエンジン原動力から成る。駆動抵抗は、瞬間エンジントルク、瞬間車両加速度、及び質量を表す信号に応じて制御ユニットによって算出される値で、道路傾斜、順風又は逆風、及び車両の転がり抵抗の指標を構成する。また、前方を走行する車両の速度についての情報も考慮できる。制御ユニット４５には、定常状態トルクを含むエンジンモデルが存在し、この定常状態トルクは、所定の動作ポイントにおいてエンジンが安定供給できるトルク、すなわち動作ポイントに到達するまでのいわゆる過渡状態を除外したトルクである。必要な情報を用いて、制御ユニット４５は、シミュレーション及び時間増分で方程式を解くことによって、異なるシフトスケジュールに含まれる一連の異なるギヤについて、特に、燃料消費量、平均速度、排出量（排気及び騒音排出の両方）を演算（或る一定の所定時間に亘ってシミュレーション）する。最良のシフトスケジュールは、算出された燃料消費量、平均速度、及び排出量、又はこれらの組み合わせを比較することによって選択され、この比較は、運転者によって選択された基準に基づいて、制御ユニット４５に格納されたマトリクスを用いて行われる。また、図１に、ＧＰＳ（登録商標）３５０の図示符号を示した。ＧＰＳ（登録商標）３５０は、制御ユニットと通信するが、この通信は、センサ３６０を介して行われてもよい。制御ユニット４５からの出力として、決定３４０、すなわち選択されたシフトスケジュールに応じたギヤ選択が送信される。
【００２９】
ＧＰＳ（登録商標）及び電子地図の代わりに、例えば、経路識別情報を利用できる。
【００３０】
次に、例えば、前述したようなシミュレーション又は予測モデルに基づいて、本発明に係る実施形態を説明する。アップシフトについての図示した実施形態において、３つの異なるアップシフトシーケンスをシミュレーションできる。このアップシフトシーケンスは下記を含む。
（ｉ）２回の連続した出力アップシフトが予測される１＋１段の出力シフトシーケンス。図２、図３、及び図５において、このシーケンスは、「（１，１）出力シフト」として示されている。括弧内の最初の数字は１回目のギヤシフトを表し、２番目の数字は次に行うギヤシフトを表す。
（ｉｉ）１段の従来的出力遮断アップシフトシーケンス（図２、図３、及び図５における（１，０）ＰＣＯシフト）。このシーケンスは、レンジギヤのシフト時に出力シフトを行えない場合に、レンジを超えるギヤシフト（例えば、遊星レンジギヤを備えるＤＣＴ）で主に使用される。
（ｉｉｉ）２段の従来的出力遮断アップシフトシーケンス（図２、図３、及び図５における（２，０）スキップシフト）。このシーケンスを利用して、快適な運転状況及び強力な車両加速での出力シフトを回避できる。
【００３１】
前述した異なるギヤシフト予測を取得することで、複数の関心のあるパラメータを推測できる。本発明によれば、スキップシフト方式における最も重要なパラメータは、（１，１）出力シフトシーケンスで得られる２回の連続した出力シフトの間の推定時間（図中のΔｔ）である。この推定時間が所定の時間制限（通常は１秒）より短い場合は、快適な運転状況であることを表し、この場合、制御ユニット４５を、連続したギヤを用いる出力シフトを回避するようにプログラムできる。代わりに、２段の従来的アップシフト、すなわち、スキップシフトが選択されるが、この場合、スキップシフトのシーケンスが許可されたギヤシフトシーケンスであることが条件である。この条件は、シフト後のエンジン速度が所定のエンジン速度限界よりも高速になること、シフト後に良好な加速が得られること、及び次回の従来的ギヤシフトまでの時間が十分に長いことが予測される場合に満たされる。
【００３２】
本発明に係るスキップシフト方式を更に詳しく説明するため、２つの異なる予測例シナリオの結果をグラフにして図２及び図３に示した。これら両方のケースには、スロットル全開及び平坦地形であることが考慮されている。本例では、１２速のＤＣＴを利用する（このＤＣＴは、６速の基本変速装置及びレンジ変速装置を含むことで、６×２ギヤを提供する）。他の構成のマルチクラッチトランスミッションも本発明で利用できる。
【００３３】
第１（図２）の例の車両条件において、係合ギヤは、ギヤ３、すなわち、かなり高いトルクが駆動系から伝達される低レンジギヤである。図から判るように、２回の連続した出力アップシフトの間の推定時間Δｔは、約０．６秒で、この時間は、例えば、１秒の所定の時間制限よりも短い。また、前述した複数の条件を基準とすると、２段の従来的出力遮断シフトは、許容されたシフトシーケンスである。したがって、予測の結果として、推定されたΔｔが所定の時間制限以内であることが提示されるため、制御ユニット４５は、本発明の一実施形態に従って、出力シフトではなく２段の従来的シフト（（２，０）スキップシフト）を実行するようにプログラムされる。
【００３４】
第２（図３）の車両条件において、係合ギヤはギヤ８、すなわち、駆動系から伝達されるトルクがあまり高くない高レンジギヤである。この場合、２回の連続した出力シフトの間の推定時間Δｔは約３秒で、この時間は、前述した所定の時間制限よりも長い。２段の従来的出力遮断ギヤシフト（（２，０）スキップシフト）は許容されたギヤシフトであるが、制御ユニットは、本発明に従って、出力シフト（（１，１）出力シフト）を実行するようにプログラムされる。
【００３５】
本発明の更に他の実施形態において、前述した予測又はシミュレーションは、上記の３つのシフトシーケンスのうちの２つのみ、すなわち、（１，１）出力シフト及び（２，０）スキップシフトを利用して実行することもできる。このため、２回の連続した出力アップシフトの間の時間Δｔを推定するステップは、前の実施形態の場合と同様である。
【００３６】
本発明の更に他の実施形態によれば、対応する予測をダウンシフトに利用できる。例えば、重い負荷のかかった車両が急勾配の上り坂を走行する場合は、ＤＣＴが複数回の迅速なダウンシフトを行って、速やかに低下する車両速度にギヤ比を適合させる必要のある車両条件が生じ得る。２回の連続した出力シフト（図示しない（−１，−１）出力シフト）の間の推定時間Δｔが、例えば、１秒の所定の時間制限よりも短いことが予測される場合、制御ユニット４５は、従来的な２段のダウンシフト（許可される場合）を実行するようにプログラムされてよい。この場合も、走行の快適さの向上と、クラッチの摩耗の抑制とが達成される。
【００３７】
本発明の更に他の実施形態において、２回の連続した出力アップシフトの間の推定時間Δｔに基づいて、適合スキップシフト方式を実施できる。簡潔に述べると、本発明のこの実施形態によれば、シフト速度は、シフト間の許容可能な時間が実現されるように変化する。このことは、複数のシミュレーションを実行するようにプログラムされた制御ユニット４５によって実現できる。当然ながら、出力の損失を避けるためには、シフト速度が、最大エンジントルク範囲内に存在しなければならない。図４に、ナローバンド（ｎａｒｒｏｗ−ｂａｎｄ）エンジンの最大エンジントルク範囲の例を示す。図４を見ると判るように、エンジン回転数及びエンジントルクは、基本的に、ダウンシフト速度及びアップシフト速度（それぞれ高レンジ及び低レンジ）の印を付けた領域内に存在しなければならない。
【００３８】
適応スキップシフト方式を詳しく説明するため、図５に開示した、２回の連続した出力アップシフトの間の時間Δｔが短いシフト動作の場合について検討する。まず、１回目のギヤアップシフトのシフト速度（Ｓｓｈｉｆｔ１）を、Ｓｓｈｉｆｔ１  ｌｏｗｅｒｅｄまで下げることができる。これは、トルクが遮断されないために、エンジンは出力シフト中に加速するという事実を考慮したものである。次に、２回目の出力シフトでのアップシフト速度（Ｓｓｈｉｆｔ２）は、２回の連続した出力アップシフトの間の許容可能時間（Δｔａｄａｐｔｅｄ）に達するまで継続して上昇させることができる。許容可能時間に達したときに、アップシフト速度はＳｓｈｉｆｔ２  ｉｎｃｒｅａｓｅｄまで上昇している。したがって、制御ユニットは、前述した予測を実行して、２回の連続したパワーアップシフトの間の許容可能時間を実現できるシフト速度を選択するようにプログラムされる。ただし、アップシフト速度が、最大エンジントルク曲線（例えば、図４を参照）から得られる最大速度性能を超えて上昇し、シフトの間の時間が、依然として所定の時間制限（通常は１秒）よりも短いということを制御ユニットが予測した場合、制御ユニット４５は、２段の従来的ギヤシフト、すなわちスキップシフトを実行するようにプログラムされる。２回の連続したパワーアップシフトの間の時間が長くなる本実施形態による利点は、主に、走行の快適さが向上することである。
【００３９】
図４及び図５を用いて説明した実施形態において、前述した予測又はシミュレーションは、説明した３つのシフトシーケンスのうちの２つのみ、すなわち、（１，１）出力シフト）及び（２，０）スキップシフトのみを利用して実行することもできる。
【００４０】
また、図４及び図５に記載した実施形態において、ダウンシフトに、対応する方式の予測を実行できる。したがって、この場合、最初のダウンシフト速度がより早い時点で実行され、すなわち、シフト速度が上昇し、更に、２回目のダウンシフト速度をより遅い時点で実行できる、すなわち、シフト速度が低下する。
【００４１】
本発明の更に他の実施形態において、制御ユニット４５を、まず、上記で説明した図５に係る方式を試みるようにプログラムできると共に、２回の連続した出力アップシフトの間の時間Δｔに適合できない場合に、制御ユニット４５を、図２及び図３を用いて説明した実施形態に従って予測及び制御を行うようにプログラムできる。
【００４２】
図示した例の実施形態において、２段の従来的な出力遮断アップシフト（（２，０）スキップシフト）のみが開示されている。更に他の実施形態において、他のスキップシフト、例えば、３段のスキップシフトや、４段のスキップシフトや、それ以上のスキップシフトもシミュレーション又は予測できる。
【００４３】
図６に、本発明の一実施形態に係る装置５００を示す。この装置５００は、不揮発性メモリ５２０、処理装置５１０、及び読み書き用メモリ５６０を含む。メモリ５２０は、装置５００を制御するコンピュータプログラムが格納される第１記憶部５３０を有する。装置５００を制御する記憶部５３０内のコンピュータプログラムは、オペレーティングシステムであってよい。
【００４４】
装置５００は、例えば、制御ユニット４５等の制御ユニット内に格納される。データ処理装置５１０には、例えば、マイクロコンピュータを含むことができる。
【００４５】
メモリ５２０は、本発明に係る、目的とするギヤ選択機能を制御するプログラムが格納される第２記憶部５４０も有する。代替の実施形態において、マルチクラッチトランスミッションを制御するプログラムは、独立した不揮発性データ記憶媒体５５０、例えば、ＣＤや、交換可能半導体メモリ等に格納される。プログラムは、実行可能な形式、又は圧縮状態で保存できる。
【００４６】
下記において、データ処理装置５１０が特定の機能を実行すると言う場合、データ処理装置５１０は、メモリ５４０に格納されたプログラムの特定の部分、又は不揮発性記録媒体５５０に格納されたプログラムの特定の部分を実行することは明らかであろう。
【００４７】
データ処理装置５１０は、データバス５１４を介してメモリ５５０と通信するように適合される。データ処理装置５１０は、データバス５１２を介してメモリ５２０とも通信するように適合される。また、データ処理装置５１０は、データバス５１１を介してメモリ５６０と通信するように適合される。データ処理装置５１０は、データバス５１５を利用して、データポート５９０とも通信するように適合される。
【００４８】
本発明に係る方法は、データ処理装置５１０によって、メモリ５４０に格納されたプログラム、又は不揮発性記録媒体５５０に格納されたプログラムを実行するデータ処理装置５１０によって実行可能である。
【００４９】
本発明は、上記で説明した実施形態に限定されると見なされるべきではなく、むしろ、多くの他の変更及び修正も下記の発明の請求項の範囲内であると考えることができる。
【図１】
2013515215.tif 000003
【図２】
2013515215.tif 000004
【図３】
2013515215.tif 000005
【図４】
2013515215.tif 000006
【図５】
2013515215.tif 000007
【図６】
2013515215.tif 000008
【手続補正書】
【提出日】平成24年2月27日(2012.2.27)
【手続補正１】
【補正対象書類名】明細書
【補正対象項目名】全文
【補正方法】変更
【補正の内容】
【発明の詳細な説明】
【技術分野】
【０００１】
本発明は、独立請求項の前文に係るマルチクラッチトランスミッションを駆動する方法及びトランスミッション制御システムに関する。
【０００２】
本発明は、いずれも前記方法を実行するコンピュータで利用されるトランスミッション制御システム、コンピュータプログラム製品、及びコンピュータの記憶媒体にも関する。
【背景技術】
【０００３】
車両用の自動及び半自動の機械式トランスミッションシステムは背景技術において周知である。一般に、このようなシステムは、多速度機械式変速トランスミッション、エンジンとトランスミッションの間に駆動的に介装される少なくとも一つの摩擦クラッチ、及びセンサからの入力信号を受け取って、トランスミッションを駆動するアクチュエータにコマンド出力信号を送信する中央処理装置又は制御装置を含む。
【０００４】
自動／半自動トランスミッションのスキップシフト、すなわち２つ以上の割り当て段への直接シフトも、例えば、背景技術の特許文献１において知られている。
【０００５】
デュアルクラッチトランスミッション（ＤＣＴ：Ｄｕａｌ  Ｃｌｕｔｃｈ  Ｔｒａｎｓｍｉｓｓｉｏｎ）等のマルチクラッチトランスミッションにおいて、出力シフトは、ほとんどの状況において推奨され得る。
【０００６】
ＤＣＴが搭載された車両の特定の車両動作状態において、車両のオペレータは、既に係合しているギヤ比から所望の係合比へのスキップシフトを命令できる。一般に、スキップアップシフトは、車両が比較的軽負荷状態で平坦な土地又は下り坂を走行している状況において、強力な車両加速が実行される場合に求められる。これは、このような状態において、出力アップシフト後のエンジン速度が、アップシフト速度を上回るか、又はアップシフト速度近くになり得、その結果、連続した複数回のアップシフトの間の時間が短くなり、且つ、ギヤシフトの回数が増えることに起因する。スキップシフトは、望ましいより低いギヤ比（高速ギヤ）に直接シフトすることによって、一連の素早い単一のアップシフトを回避するために利用される。このようなスキップシフト方式は、クラッチ寿命を延ばすことができると共に、運転の快適さを向上させ得る。
【０００７】
対応する車両動作状態は、急勾配の登り坂で車両が重い等の道路条件において車両を駆動しているときに生じ得るもので、この状態においては、車両の走行抵抗が非常に高い、すなわち、ＤＣＴが複数回の連続した出力ダウンシフトを迅速に実行することになる。その結果、クラッチの摩耗が激しくなり、運転の快適さが低下することを伴う同様の問題が生じる。
【０００８】
スキップシフトの作動は、例えば、車両のオペレータがスキップシフトボタンを押すことによって可能である。車両のオペレータが直面する他の作業のせいで、スキップシフトボタンが、結局のところ駆動されなかったり、又はタイミングが不適切であったりするため、スキップシフト機能を備える利点が結果的に損なわれる可能性がある。上記のシステムに関わる問題は、オペレータにスキップシフトボタンを駆動するという負担をかけることである。特許文献２は、添付の請求項１の前文に規定されるような従来技術を開示している。
【先行技術文献】
【特許文献】
【０００９】
【特許文献１】米国特許第４，５７６，０６５号明細書
【特許文献２】独国特許出願公開第１０２００５０２８５５１号明細書
【発明の概要】
【発明が解決しようとする課題】
【００１０】
本発明の目的は、車両のオペレータからの同時入力に因らずにマルチクラッチトランスミッションを制御する、改善された方法及び装置を提供することである。
【課題を解決するための手段】
【００１１】
この目的は、独立請求項の特徴によって達成される。他の請求項及び明細書は、本発明の有利な実施形態を開示する。
【００１２】
本発明の第１の態様において、車両に設けられた駆動用原動機に駆動接続可能なマルチクラッチトランスミッションを駆動する方法が提供され、本方法は、
−少なくとも電動機及びトランスミッションを管理する制御ユニットを設けるステップと、
−トランスミッションについての少なくとも一つのシミュレーションシフトシーケンスを含む予測モデルを提供するステップとを含み、本方法は、
−少なくとも一つの予測モデルを利用して、トランスミッションの１回目の出力アップシフトと２回目の出力アップシフトの間、又は１回目の出力ダウンシフトと２回目の出力ダウンシフトの間の時間を予測するステップと、
−トランスミッションの１回目の出力アップシフト／ダウンシフトと２回目の出力アップシフト／ダウンシフトの間の予測時間が、所定の時間制限よりも短い場合に、トランスミッションを駆動する少なくとも一つのパラメータを修正するステップとを更に含むことを特徴とする。
【００１３】
前記方法は、トランスミッションを駆動するパラメータが、下記のステップのうちの少なくとも一つを実行することによって変更される。
−第１シフト速度限界を低くするステップ。
−第２シフト速度限界を高くするステップ。
【００１４】
本発明の更に他の実施形態によれば、方法は、エンジン回転数、車両速度、及びアクセル位置に関する情報、並びに道路情報を制御ユニットに提供するステップを更に含む。
【００１５】
本発明の他の実施形態において、所定の時間制限は１秒未満である。
【００１６】
本発明の更に他の実施形態において、１回目のアップシフト／ダウンシフトと２回目のアップシフト／ダウンシフトの間の時間の予測は、制御ユニットによる実時間シミュレーションによって実行される。
【００１７】
本発明の他の実施形態において、１回目の出力アップシフト／ダウンシフト及び２回目の出力アップシフト／ダウンシフトは、連続した出力シフトである。
【００１８】
本発明の更に他の実施形態において、トランスミッションを駆動するパラメータは、１回目の出力アップシフト／ダウンシフトの第１シフト速度限界、及び２回目の出力アップシフト／ダウンシフトの第２シフト速度限界である。
【００１９】
本発明の更なる実施形態において、２段以上の従来のアップ／ダウンシフトは、シフト速度限界が最大限に変更されたとしても、予測時間が所定の時間よりも長い場合に選択される。
【００２０】
本発明の他の実施形態において、トランスミッションを駆動するパラメータは、少なくとも２つのシフトシーケンスである。ここに記載した実施形態の更に他の実施形態において、少なくとも２つのシフトシーケンスは、下記のうちの一つを含む。
−連続した出力アップシフトと２段以上の従来的アップシフト。
−連続した出力ダウンシフトと２段以上の従来的ダウンシフト。
【００２１】
また、更に他の実施形態において、２段以上の従来的アップシフト／ダウンシフトは、１回目の出力アップシフトと２回目の出力アップシフト、又は１回目の出力ダウンシフトと２回目の出力ダウンシフトの予測時間が所定の時間制限よりも短い場合に選択される。
【００２２】
また、マルチクラッチトランスミッションを制御するように構成される制御ユニットを含むトランスミッション制御システムも提供され、制御システムは、制御ユニットが、最初に記載した方法の実施形態のステップを実行するようにプログラムされることを特徴とする。
【００２３】
本発明の利点は、走行の快適さが向上し、クラッチの摩耗が抑制されることである。
【００２４】
本発明は、上記及び他の目的、並びに上記及び他の利点と共に、実施形態についての下記の詳細な説明から最もよく理解されるであろうが、これらの実施形態に限定されるものではない。これらの実施形態は下記の図に模式的に示される。
【図面の簡単な説明】
【００２５】
【図１】既知の技術に係る制御ユニットへの入力部の概要を示す図である。
【図２】異なるシミュレーションギヤシフトシーケンスについて、時間の関数としてエンジン速度を示す、本発明の異なる実施形態を模式的に説明するグラフ図である。
【図３】異なるシミュレーションギヤシフトシーケンスについて、時間の関数としてエンジン速度を示す、本発明の異なる実施形態を模式的に説明するグラフ図である。
【図４】エンジンの最大トルク範囲と共に、エンジン速度に対応するエンジントルクを模式的に示したグラフ図である。
【図５】異なるシミュレーションギヤシフトシーケンスについて、時間の関数としてエンジン速度を示す、本発明の異なる実施形態を模式的に説明するグラフ図である。
【図６】コンピュータ構成に適用された本発明を示す図である。
【発明を実施するための形態】
【００２６】
図面において、同一又は同様の要素は、同じ参照番号で示される。図面は、単なる模式的表現であり、本発明の特定のパラメータを描写することを意図したものではない。また、図面は、本発明の典型的な実施形態のみを描画することを意図したものなので、本発明の範囲を限定するものであると見なされるべきではない。
【００２７】
図１に、シミュレーション又は予測モデル及び入力部を模式的に示す。ここで、制御ユニット４５は、コンピュータシミュレーションを生成できなければならない。予測モデルは、原動機（例えば、エンジン）を有する車両において実施可能であり、この原動機は、制御ユニット４５によって制御されるマルチクラッチトランスミッション（ＤＣＴ等）に駆動接続される。また、車両において、ＤＣＴからの出力シャフトを、その車両の従動輪に駆動接続できる。一つの制御部３００は、手動又は自動の制御パラメータ重み付けを、運転者によって選択された駆動基準に基づいて行うもので、この制御部３００を用いて、シミュレーションを制御できる。運転者は、例えば、低燃費（例えば、経済的運転用）、一定車両速度（例えば、高速の平均速度での高速運転用）、特定の排出レベル（環境に配慮した運転用）、又はこれらの制御パラメータの組み合わせ（加重組み合わせ）を優先させることを選択できる。自動の制御パラメータ重み付けでは、制御ユニットに格納されているモデルが利用される。この重み付けには、スロットル開位置及び車両の質量等の各種のパラメータが考慮される。ギヤ速度が異なると、制御パラメータの重み付けも異なったものになる。
【００２８】
例えば、低燃費は高速ギヤの場合に優先順位が高く、上り坂を走行する重い車両については、平均速度に高い重み付けがなされる。スイッチ３００は、制御ユニット４５と通信するように適合される。ペダルマップ３１０、すなわち、各種のスロットル開位置について回転数の関数としてエンジントルクを表したものは、制御ユニット４５内に格納される。例えば、ＣＤ−ＲＯＭ（Ｃｏｍｐａｃｔ  Ｄｉｓｃ  Ｒｅａｄ  Ｏｎｌｙ  Ｍｅｍｏｒｙ）に格納された電子地図３２０は、コンピュータシミュレーションに必要な地域のトポロジー、すなわち、経路についての、例えば、海面高さを基準とした、少なくとも勾配又は標高の値の情報、及び経路における制限速度に関する各種の情報を含む。コンピュータシミュレーションには、既知の技術に従って計測器及びセンサ３６０から送信されたパラメータ３３０が利用される。このパラメータは、少なくとも車両又は列車の重量、瞬間車両速度、ギヤ比、効率、エンジン回転数、スロットル開位置（更にはスロットル開位置の変化）、瞬間位置、道路傾斜（電子地図から取得したのではないもの）、環境温度（燃料／空気混合に影響する温度）、駆動抵抗、及びエンジン原動力から成る。駆動抵抗は、瞬間エンジントルク、瞬間車両加速度、及び質量を表す信号に応じて制御ユニットによって算出される値で、道路傾斜、順風又は逆風、及び車両の転がり抵抗の指標を構成する。また、前方を走行する車両の速度についての情報も考慮できる。制御ユニット４５には、定常状態トルクを含むエンジンモデルが存在し、この定常状態トルクは、所定の動作ポイントにおいてエンジンが安定供給できるトルク、すなわち動作ポイントに到達するまでのいわゆる過渡状態を除外したトルクである。必要な情報を用いて、制御ユニット４５は、シミュレーション及び時間増分で方程式を解くことによって、異なるシフトスケジュールに含まれる一連の異なるギヤについて、特に、燃料消費量、平均速度、排出量（排気及び騒音排出の両方）を演算（或る一定の所定時間に亘ってシミュレーション）する。最良のシフトスケジュールは、算出された燃料消費量、平均速度、及び排出量、又はこれらの組み合わせを比較することによって選択され、この比較は、運転者によって選択された基準に基づいて、制御ユニット４５に格納されたマトリクスを用いて行われる。また、図１に、ＧＰＳ（登録商標）３５０の図示符号を示した。ＧＰＳ（登録商標）３５０は、制御ユニットと通信するが、この通信は、センサ３６０を介して行われてもよい。制御ユニット４５からの出力として、決定３４０、すなわち選択されたシフトスケジュールに応じたギヤ選択が送信される。
【００２９】
ＧＰＳ（登録商標）及び電子地図の代わりに、例えば、経路識別情報を利用できる。
【００３０】
次に、例えば、前述したようなシミュレーション又は予測モデルに基づいて、本発明に係る実施形態を説明する。アップシフトについての図示した実施形態において、３つの異なるアップシフトシーケンスをシミュレーションできる。このアップシフトシーケンスは下記を含む。
（ｉ）２回の連続した出力アップシフトが予測される１＋１段の出力シフトシーケンス。図２、図３、及び図５において、このシーケンスは、「（１，１）出力シフト」として示されている。括弧内の最初の数字は１回目のギヤシフトを表し、２番目の数字は次に行うギヤシフトを表す。
（ｉｉ）１段の従来的出力遮断アップシフトシーケンス（図２、図３、及び図５における（１，０）ＰＣＯシフト）。このシーケンスは、レンジギヤのシフト時に出力シフトを行えない場合に、レンジを超えるギヤシフト（例えば、遊星レンジギヤを備えるＤＣＴ）で主に使用される。
（ｉｉｉ）２段の従来的出力遮断アップシフトシーケンス（図２、図３、及び図５における（２，０）スキップシフト）。このシーケンスを利用して、快適な運転状況及び強力な車両加速での出力シフトを回避できる。
【００３１】
前述した異なるギヤシフト予測を取得することで、複数の関心のあるパラメータを推測できる。本発明によれば、スキップシフト方式における最も重要なパラメータは、（１，１）出力シフトシーケンスで得られる２回の連続した出力シフトの間の推定時間（図中のΔｔ）である。この推定時間が所定の時間制限（通常は１秒）より短い場合は、快適な運転状況であることを表し、この場合、制御ユニット４５を、連続したギヤを用いる出力シフトを回避するようにプログラムできる。代わりに、２段の従来的アップシフト、すなわち、スキップシフトが選択されるが、この場合、スキップシフトのシーケンスが許可されたギヤシフトシーケンスであることが条件である。この条件は、シフト後のエンジン速度が所定のエンジン速度限界よりも高速になること、シフト後に良好な加速が得られること、及び次回の従来的ギヤシフトまでの時間が十分に長いことが予測される場合に満たされる。
【００３２】
本発明に係るスキップシフト方式を更に詳しく説明するため、２つの異なる予測例シナリオの結果をグラフにして図２及び図３に示した。これら両方のケースには、スロットル全開及び平坦地形であることが考慮されている。本例では、１２速のＤＣＴを利用する（このＤＣＴは、６速の基本変速装置及びレンジ変速装置を含むことで、６×２ギヤを提供する）。他の構成のマルチクラッチトランスミッションも本発明で利用できる。
【００３３】
第１（図２）の例の車両条件において、係合ギヤは、ギヤ３、すなわち、かなり高いトルクが駆動系から伝達される低レンジギヤである。図から判るように、２回の連続した出力アップシフトの間の推定時間Δｔは、約０．６秒で、この時間は、例えば、１秒の所定の時間制限よりも短い。また、前述した複数の条件を基準とすると、２段の従来的出力遮断シフトは、許容されたシフトシーケンスである。したがって、予測の結果として、推定されたΔｔが所定の時間制限以内であることが提示されるため、制御ユニット４５は、本発明の一実施形態に従って、出力シフトではなく２段の従来的シフト（（２，０）スキップシフト）を実行するようにプログラムされる。
【００３４】
第２（図３）の車両条件において、係合ギヤはギヤ８、すなわち、駆動系から伝達されるトルクがあまり高くない高レンジギヤである。この場合、２回の連続した出力シフトの間の推定時間Δｔは約３秒で、この時間は、前述した所定の時間制限よりも長い。２段の従来的出力遮断ギヤシフト（（２，０）スキップシフト）は許容されたギヤシフトであるが、制御ユニットは、本発明に従って、出力シフト（（１，１）出力シフト）を実行するようにプログラムされる。
【００３５】
本発明の更に他の実施形態において、前述した予測又はシミュレーションは、上記の３つのシフトシーケンスのうちの２つのみ、すなわち、（１，１）出力シフト及び（２，０）スキップシフトを利用して実行することもできる。このため、２回の連続した出力アップシフトの間の時間Δｔを推定するステップは、前の実施形態の場合と同様である。
【００３６】
本発明の更に他の実施形態によれば、対応する予測をダウンシフトに利用できる。例えば、重い負荷のかかった車両が急勾配の上り坂を走行する場合は、ＤＣＴが複数回の迅速なダウンシフトを行って、速やかに低下する車両速度にギヤ比を適合させる必要のある車両条件が生じ得る。２回の連続した出力シフト（図示しない（−１，−１）出力シフト）の間の推定時間Δｔが、例えば、１秒の所定の時間制限よりも短いことが予測される場合、制御ユニット４５は、従来的な２段のダウンシフト（許可される場合）を実行するようにプログラムされてよい。この場合も、走行の快適さの向上と、クラッチの摩耗の抑制とが達成される。
【００３７】
本発明の更に他の実施形態において、２回の連続した出力アップシフトの間の推定時間Δｔに基づいて、適合スキップシフト方式を実施できる。簡潔に述べると、本発明のこの実施形態によれば、シフト速度は、シフト間の許容可能な時間が実現されるように変化する。このことは、複数のシミュレーションを実行するようにプログラムされた制御ユニット４５によって実現できる。当然ながら、出力の損失を避けるためには、シフト速度が、最大エンジントルク範囲内に存在しなければならない。図４に、ナローバンド（ｎａｒｒｏｗ−ｂａｎｄ）エンジンの最大エンジントルク範囲の例を示す。図４を見ると判るように、エンジン回転数及びエンジントルクは、基本的に、ダウンシフト速度及びアップシフト速度（それぞれ高レンジ及び低レンジ）の印を付けた領域内に存在しなければならない。
【００３８】
適応スキップシフト方式を詳しく説明するため、図５に開示した、２回の連続した出力アップシフトの間の時間Δｔが短いシフト動作の場合について検討する。まず、１回目のギヤアップシフトのシフト速度（Ｓｓｈｉｆｔ１）を、Ｓｓｈｉｆｔ１  ｌｏｗｅｒｅｄまで下げることができる。これは、トルクが遮断されないために、エンジンは出力シフト中に加速するという事実を考慮したものである。次に、２回目の出力シフトでのアップシフト速度（Ｓｓｈｉｆｔ２）は、２回の連続した出力アップシフトの間の許容可能時間（Δｔａｄａｐｔｅｄ）に達するまで継続して上昇させることができる。許容可能時間に達したときに、アップシフト速度はＳｓｈｉｆｔ２  ｉｎｃｒｅａｓｅｄまで上昇している。したがって、制御ユニットは、前述した予測を実行して、２回の連続したパワーアップシフトの間の許容可能時間を実現できるシフト速度を選択するようにプログラムされる。ただし、アップシフト速度が、最大エンジントルク曲線（例えば、図４を参照）から得られる最大速度性能を超えて上昇し、シフトの間の時間が、依然として所定の時間制限（通常は１秒）よりも短いということを制御ユニットが予測した場合、制御ユニット４５は、２段の従来的ギヤシフト、すなわちスキップシフトを実行するようにプログラムされる。２回の連続したパワーアップシフトの間の時間が長くなる本実施形態による利点は、主に、走行の快適さが向上することである。
【００３９】
図４及び図５を用いて説明した実施形態において、前述した予測又はシミュレーションは、説明した３つのシフトシーケンスのうちの２つのみ、すなわち、（１，１）出力シフト）及び（２，０）スキップシフトのみを利用して実行することもできる。
【００４０】
また、図４及び図５に記載した実施形態において、ダウンシフトに、対応する方式の予測を実行できる。したがって、この場合、最初のダウンシフト速度がより早い時点で実行され、すなわち、シフト速度が上昇し、更に、２回目のダウンシフト速度をより遅い時点で実行できる、すなわち、シフト速度が低下する。
【００４１】
本発明の更に他の実施形態において、制御ユニット４５を、まず、上記で説明した図５に係る方式を試みるようにプログラムできると共に、２回の連続した出力アップシフトの間の時間Δｔに適合できない場合に、制御ユニット４５を、図２及び図３を用いて説明した実施形態に従って予測及び制御を行うようにプログラムできる。
【００４２】
図示した例の実施形態において、２段の従来的な出力遮断アップシフト（（２，０）スキップシフト）のみが開示されている。更に他の実施形態において、他のスキップシフト、例えば、３段のスキップシフトや、４段のスキップシフトや、それ以上のスキップシフトもシミュレーション又は予測できる。
【００４３】
図６に、本発明の一実施形態に係る装置５００を示す。この装置５００は、不揮発性メモリ５２０、処理装置５１０、及び読み書き用メモリ５６０を含む。メモリ５２０は、装置５００を制御するコンピュータプログラムが格納される第１記憶部５３０を有する。装置５００を制御する記憶部５３０内のコンピュータプログラムは、オペレーティングシステムであってよい。
【００４４】
装置５００は、例えば、制御ユニット４５等の制御ユニット内に格納される。データ処理装置５１０には、例えば、マイクロコンピュータを含むことができる。
【００４５】
メモリ５２０は、本発明に係る、目的とするギヤ選択機能を制御するプログラムが格納される第２記憶部５４０も有する。代替の実施形態において、マルチクラッチトランスミッションを制御するプログラムは、独立した不揮発性データ記憶媒体５５０、例えば、ＣＤや、交換可能半導体メモリ等に格納される。プログラムは、実行可能な形式、又は圧縮状態で保存できる。
【００４６】
下記において、データ処理装置５１０が特定の機能を実行すると言う場合、データ処理装置５１０は、メモリ５４０に格納されたプログラムの特定の部分、又は不揮発性記録媒体５５０に格納されたプログラムの特定の部分を実行することは明らかであろう。
【００４７】
データ処理装置５１０は、データバス５１４を介してメモリ５５０と通信するように適合される。データ処理装置５１０は、データバス５１２を介してメモリ５２０とも通信するように適合される。また、データ処理装置５１０は、データバス５１１を介してメモリ５６０と通信するように適合される。データ処理装置５１０は、データバス５１５を利用して、データポート５９０とも通信するように適合される。
【００４８】
本発明に係る方法は、データ処理装置５１０によって、メモリ５４０に格納されたプログラム、又は不揮発性記録媒体５５０に格納されたプログラムを実行するデータ処理装置５１０によって実行可能である。
【００４９】
本発明は、上記で説明した実施形態に限定されると見なされるべきではなく、むしろ、多くの他の変更及び修正も下記の発明の請求項の範囲内であると考えることができる。
【手続補正２】
【補正対象書類名】特許請求の範囲
【補正対象項目名】全文
【補正方法】変更
【補正の内容】
【特許請求の範囲】
【請求項１】
車両に設けられた駆動用原動機に駆動接続可能なマルチクラッチトランスミッションを駆動する方法であって、
−少なくとも前記原動機及び前記トランスミッションを管理する制御ユニット（４５）を設けるステップと、
−前記トランスミッションについての少なくとも一つのシュミレーションシフトシーケンスを含む予測モデルを提供するステップと、
−前記少なくとも一つの予測モデルを利用して、前記トランスミッションの１回目の出力アップシフトと２回目の出力アップシフトの間、又は１回目の出力ダウンシフトと２回目の出力ダウンシフトの間の時間（Δｔ，Δｔａｄａｐｔｅｄ）を予測するステップと、
−前記トランスミッションの前記１回目の出力アップシフト／ダウンシフトと前記２回目の出力アップシフト／ダウンシフトの間の予測時間が所定の時間制限よりも短い場合に、前記トランスミッションを駆動する少なくとも一つのパラメータを変更するステップであって、前記トランスミッションを駆動する前記パラメータは、前記１回目の出力アップシフト／ダウンシフトの第１シフト速度限界、及び／又は前記２回目の出力アップシフト／ダウンシフトの第２シフト速度限界であるステップとを含み、
前記トランスミッションを駆動する前記パラメータは、
−前記第１シフト速度限界（Ｓｓｈｉｆｔ１  ｌｏｗｅｒｅｄ）を低くするステップ、及び
−前記第２シフト速度限界（Ｓｓｈｉｆｔ２  ｉｎｃｒｅａｓｅｄ）を高くするステップ、
のうちの少なくとも一方を実行することによって変更され、
前記シフト速度限界は、前記原動機が依然として前記原動機の最大トルク範囲内に維持される最大限まで変更できるのみであることを特徴とする方法。
【請求項２】
前記予測時間が前記所定の時間よりも長い場合、前記シフト速度限界が前記最大限に変更されていたとしても、２段以上の従来的アップ／ダウンシフトが選択される、請求項１に記載の方法。
【請求項３】
エンジン回転数、車両速度、及びアクセル位置に関する情報、並びに道路情報を前記制御ユニットに提供するステップを更に含む、請求項１に記載の方法。
【請求項４】
前記所定の時間制限は１秒未満である、請求項１に記載の方法。
【請求項５】
１回目のアップシフト／ダウンシフトと２回目のアップシフト／ダウンシフトの間の時間の前記予測は、前記制御ユニットによる実時間シミュレーションによって実行される、請求項１に記載の方法。
【請求項６】
前記１回目の出力アップシフト／ダウンシフト及び前記２回目の出力アップシフト／ダウンシフトは連続した出力シフトである、請求項１に記載の方法。
【請求項７】
前記トランスミッションを駆動する前記パラメータは、少なくとも２つのシフトシーケンスである、請求項１に記載の方法。
【請求項８】
前記少なくとも２つのシフトシーケンスは、
−連続した出力アップシフトと２段以上の従来的アップシフト、及び
−連続した出力ダウンシフトと２段以上の従来的ダウンシフト、
のうちの一方を含む、請求項１乃至７のいずれかに記載の方法。
【請求項９】
前記２段以上の従来的アップ／ダウンシフトは、前記１回目の出力アップシフトと前記２回目の出力アップシフト、又は前記１回目の出力ダウンシフトと前記２回目の出力ダウンシフトでの前記予測時間が前記所定の時間制限よりも短い場合に選択される、請求項１乃至８のいずれかに記載の方法。
【請求項１０】
マルチクラッチトランスミッションを制御するように構成された制御ユニット（４５）を含むトランスミッション制御システムであって、前記制御ユニットは、請求項１記載のステップを実行するようにプログラムされることを特徴とするトランスミッション制御システム。
【請求項１１】
コンピュータ可読媒体に格納されたプログラムコード手段を含むコンピュータプログラム製品であって、前記プログラム製品がコンピュータ上で実行されると請求項１記載の全てのステップを実行する、コンピュータプログラム製品。
【請求項１２】
コンピュータ環境で用いられるコンピュータメモリ（５２０）や、不揮発性データ記憶媒体（５５０）等の記憶媒体であって、前記メモリが、請求項１記載の方法を実行するコンピュータ可読プログラムコードを含む記憶媒体。
【国際調査報告】
2013515215.tif 000009
2013515215.tif 000010
2013515215.tif 000011